(57)【特許請求の範囲】
【請求項１】
底部が閉塞され上部に開口を有する筒状を呈し複数本のゴルフクラブをそれらのクラブヘッドを下にして収納可能で前記開口はそれらゴルフクラブのクラブヘッドが出し入れできる大きさで形成された本体部と、
前記本体部の後部の上端から上方に突出する後片と、
前方に凸の弓状に延在し前記後片の上部の左右側部と前記本体部の上部の左右側部とを接続する左右のショルダーベルト片と、
前記後片の上部に取着されたグリップ収納袋と、
前記左右のショルダーベルト片の上部を除いた箇所を着脱可能に取り付けることでそれらショルダーベルト片からショルダーベルトを構成する着脱手段とを備え、
前記ショルダーベルトが構成された状態で、前記左右のショルダーベルト片の上部と前記後片の上部とで、前記開口から突出する前記複数本のゴルフクラブの部分を挿通させる挿通口が形成され、
前記グリップ収納袋は、クラブヘッドを下にして前記本体部に収容され前記開口および前記挿通口から突出する複数本のゴルフクラブのグリップを収納可能に構成されている、
ことを特徴とするゴルフクラブケース。
【請求項２】
前記挿通口側に位置する前記後片の内面には、前記グリップ収納袋が折り畳んで収納される収納袋が取着されている、
ことを特徴とする請求項１記載のゴルフクラブケース。
【請求項３】
前記本体部の前部の左右幅方向の中央と前記本体部の後部の左右幅方向の中央とを接続し、本体部の内部を左右２つに分ける仕切り片が設けられ、
前記本体部の開口は、前記仕切り片により左右に仕切られた２つの小開口から構成され、
前記小開口は、それぞれゴルフクラブのクラブヘッドが出し入れできる大きさで形成されている、
ことを特徴とする請求項１または２記載のゴルフクラブケース。
【請求項４】
前記仕切り片が接続された前記前部の箇所の左右両側に、前記前部の上端から下端にわたって延在し前記仕切り片により２つに仕切られた本体部の内部をそれぞれ開閉する線ファスナーが設けられている、
ことを特徴とする請求項３記載のゴルフクラブケース。
【請求項５】
前記本体部と、前記後片と、前記ショルダーベルト片と、前記グリップ収納袋とは、可撓可能な材料で形成されている、
ことを特徴とする請求項１乃至４に何れか１項記載のゴルフクラブケース。
【請求項６】
前記本体部の内面およびこの内面に続く前記後片の内面に、可撓可能で柔軟性を有しゴルフクラブヘッドを保護する保護部材が取着されている、
ことを特徴とする請求項１乃至５に何れか１項記載のゴルフクラブケース。
【請求項７】
前記左右のショルダーベルト片を開き、前記後片および左右のショルダーベルト片を前記本体部の外側に垂れ下げると、前記本体部の上部に前記開口の全域が露出する、
ことを特徴とする請求項１乃至６に何れか１項記載のゴルフクラブケース。
【請求項８】
前記本体部の下端から前記開口までの高さは、前記本体部に収納されたゴルフクラブがアイアンクラブであるピッチングウェッジであり、そのクラブヘッドを下側にして前記本体部に収容された状態で、前記ピッチングウェッジの長さの1／３以上１／２未満の部分が前記開口から突出する寸法で形成されている、
ことを特徴とする請求項１乃至７に何れか１項記載のゴルフクラブケース。
【請求項９】
前記挿通口と反対側に位置する前記後片の外面の上端に、細長形状を呈し、長手方向の一方の端部に雄型の面ファスナーが取着され、長手方向の他方の端部に雌型の面ファスナーが取着され、それら面ファスナーを合わせることで環状となり手摺やフックに係止可能となる連結片が取着されている、
ことを特徴とする請求項１乃至８に何れか１項記載のゴルフクラブケース。
【請求項１０】
前記本体部の下端から前記後片の上端までの長さは、アイアンクラブであるピッチングウェッジがそのクラブヘッドを下側にして前記本体部に収容された状態で、前記挿通口から前記ピッチングウェッジのグリップの長さの１／２未満の部分が突出する寸法で形成されている、
請求項１乃至９に何れか１項記載のゴルフクラブケース。
【発明の詳細な説明】
【技術分野】
【０００１】
本発明は、少数本のゴルフクラブを収納するゴルフクラブケースに関する。
【背景技術】
【０００２】
従来、ゴルフクラブケースは、練習場やショートコースで複数本のアイアンクラブと複数本のウッドクラブを使用する場合に用いられている。ゴルフクラブケースは、フルセットのゴルフクラブ１４本の全てを収納するキャディバックに比べて軽量で小さい。
この種のゴルフクラブケースとして、ゴルフクラブのクラブヘッドを上にして収納するゴルフクラブケースと、ゴルフクラブのクラブヘッドを下にして収納するゴルフクラブケースが提供され、何れもショルダーベルトを備えている。
ゴルフクラブのクラブヘッドを上にして収納するゴルフクラブケースは、筒状で上部に開口を有する本体部と、本体部に収納され本体部から突出するゴルフクラブの部分を覆う袋部とで構成されている(特許文献１)。
また、ゴルフクラブのクラブヘッドを下にして収納するゴルフクラブケースは、筒状で上部に開口を有する本体部で構成されている(特許文献２)。
【先行技術文献】
【特許文献】
【０００３】
【特許文献１】特開２００２−１７９２０
【特許文献２】特開２００２−２０４８４２
【発明の概要】
【発明が解決しようとする課題】
【０００４】
しかしながら、ゴルフクラブのクラブヘッドを上にして収納する従来のゴルフクラブケースは、ゴルフクラブの運搬時にショルダーベルトを肩に掛けると、ゴルフクラブはクラブヘッド側が重いため、ゴルフクラブケースが傾いてユーザーの前後に突出し、肩に掛けた状態でバスや電車に乗ったりするなど人ごみの中での通行ができない不具合がある。
また、ゴルフクラブのクラブヘッドを下にして収納する従来のゴルフクラブケースでは、本体部の開口が、複数本のゴルフクラブのシャフト部分が収納できる大きさで形成されているため、ゴルフクラブの出し入れの際に、その都度、線ファスナーを本体部の下端まで下す必要があり、使い勝手が悪い不具合がある。
本発明は前記事情に鑑み案出されたものであって、本発明の目的は、肩に掛けた状態で人ごみの中で通行でき、また、使い勝手を向上させたゴルフクラブケースを提供することにある。
【課題を解決するための手段】
【０００５】
前記目的を達成するため本発明は、底部が閉塞され上部に開口を有する筒状を呈し複数本のゴルフクラブをそれらのクラブヘッドを下にして収納可能で前記開口はそれらゴルフクラブのクラブヘッドが出し入れできる大きさで形成された本体部と、前記本体部の後部の上端から上方に突出する後片と、前方に凸の弓状に延在し前記後片の上部の左右側部と前記本体部の上部の左右側部とを接続する左右のショルダーベルト片と、前記後片の上部に取着されたグリップ収納袋と、前記左右のショルダーベルト片の上部を除いた箇所を着脱可能に取り付けることでそれらショルダーベルト片からショルダーベルトを構成する着脱手段とを備え、前記ショルダーベルトが構成された状態で、前記左右のショルダーベルト片の上部と前記後片の上部とで、前記開口から突出する前記複数本のゴルフクラブの部分を挿通させる挿通口が形成され、前記グリップ収納袋は、クラブヘッドを下にして前記本体部に収容され前記開口および前記挿通口から突出する複数本のゴルフクラブのグリップを収納可能に構成されていることを特徴とする。
【発明の効果】
【０００６】
本発明によれば、複数本のゴルフクラブを、それらのクラブヘッドを下にして開口から本体部に収納でき、また、開口から出し入れできる。
そして、ショルダーベルトを肩に掛けても、ゴルフクラブケースは、ゴルフクラブの重心により肩の背後で上下に延在した状態となるので、ゴルフクラブケースが傾いてユーザーの前後に突出することはなく、肩に掛けた状態でバスや電車に乗ったりするなど人ごみの中での通行が可能となる。
また、ゴルフクラブケースを壁などに立て掛ける場合であっても、重いクラブヘッドがゴルフクラブケースの底部に位置しているので、安定した状態で立て掛けられ、さらに、このように安定して立て掛けられたゴルフクラブケースの開口からゴルフクラブを出し入れでき、ゴルフクラブケースの使い勝手に優れる。
また、開口からゴルフクラブを出し入れでき、クラブヘッドを底部に位置させてゴルフクラブを収納する構造であるため、ゴルフコースにおいてカート道路から離れた箇所にゴルフボールを打ち込みゴルフボールの落下地点に複数本のゴルフクラブを持っていく際にこのゴルフケースを使用すると、ゴルフボールの落下地点で使用するゴルフクラブを抜き出し、残りのゴルフクラブをラフに置く場合、クラブヘッドが本体部の底部で覆われているため土が付着したり雨で濡れたりして汚れることがなく、また、ゴルフクラブの置き忘れを防止する上でも有利となる。
【図面の簡単な説明】
【０００７】
【図１】ゴルフクラブケースを肩に掛けた状態の説明図である。
【図２】グリップ収納袋を本体部の内側に入れゴルフクラブケースを肩に掛けた状態の説明図である。
【図３】ゴルフクラブケースを壁に立て掛けた状態の斜視図である。
【図４】ゴルフクラブケースを壁に立て掛け、左右のショルダーベルト片を開いた状態の斜視図である。
【図５】グリップ収納袋を収納袋に収納し、挿通口からゴルフクラブの部分を突出させ、ゴルフクラブケースを壁に立て掛けた状態の斜視図である。
【図６】グリップ収納袋を収納袋に収納し、左右のショルダーベルト片を開き、本体部に収納したゴルフクラブごとゴルフクラブケースを壁に立て掛けた状態の斜視図である。
【図７】本体部の線ファスナーを開き、左右のショルダーベルト片を開いた状態のゴルフクラブケースの説明図である。
【図８】グリップ収納袋を収納袋に入れ、ショルダーベルトを掴んだ状態の斜視図である。
【図９】左右のショルダーベルト片を本体部の左右側部に垂れ下げ、後片を本体部の後部に垂れ下げ、手摺に立て掛けた状態のゴルフクラブケースの斜視図である。
【発明を実施するための形態】
【０００８】
以下、本発明の実施の形態を図面にしたがって説明する。
図１に示すように、ゴルフクラブケース１０は、本体部１２と、後片１４と、ショルダーベルト片１６Ａと、グリップ収納袋１８と、着脱手段２１(図７参照)とを備えている。
本体部１２と、後片１４と、ショルダーベルト片１６Ａと、グリップ収納袋１８には、合成繊維などのような可撓可能な従来公知の様々な材料が使用可能である。
例えば、ショルダーベルト片１６Ａおよびこのショルダーベルト片１６Ａが接続される後片１４の左右側部、この上下部に接続する本体部１２の部分を、例えば、可撓可能で柔らかい素材を用い、後片１４の残りの部分および本体部１２の残りの部分に可撓可能なナイロン生地を使用するなど任意である。この場合の可撓可能で柔らかい素材として、ネオプレーン、ナイロン、ポリエステル、綿、デニム、生布，ＰＵ合皮、皮革などが挙げられる。
【０００９】
図９に示すように、本体部１２は、底部１２Ｄが閉塞され上部に開口２０を有する筒状を呈し複数本のゴルフクラブをそれらのクラブヘッドを下にして収納可能で開口２０はそれらゴルフクラブのクラブヘッドが出し入れできる大きさで形成されている。したがって、本体部１２の内部は収納部２２となっている。
本体部１２は、本実施の形態では、前後に細長い矩形の筒状に形成されている。
本体部１２は、例えば、ドライバやフェアウェイウッドなどのようなクラブヘッドが大きいウッドクラブが安定した状態で収納されるように、前部１２Ａの下部が前方に突出し底部１２Ｄの断面は、他の部分よりも大きな寸法で形成されている。
【００１０】
また、開口２０は、ドライバやフェアウェイウッドなどのようなクラブヘッドが大きいウッドクラブを出し入れできるように、最も大きいドライバのクラブヘッドよりも大きい寸法で形成されている。
本体部１２の下端から開口２０までの高さは、本体部１２に収納されたゴルフクラブがアイアンクラブであるピッチングウェッジであり、そのクラブヘッドを下側にして前記本体部に収容された状態で、ピチングウェッジの長さの1／３以上１／２未満の部分が開口２０から突出する寸法で形成されている。これにより、ゴルフ練習場においてゴルフクラブケース１０からのゴルフクラブの出し入れが簡単になされ、また、ゴルフクラブケース１０がゴルフクラごと椅子や手摺や壁などに安定した状態で起立し立て掛けられるように図られている。
【００１１】
本実施の形態では、図７に示すように、本体部１２の内部(収納部２２)を左右２つに分ける仕切り片２４が設けられている。
仕切り片２４は、本体部１２の後部１２Ｂの上下にわたり左右幅方向の中央から前方に突出しており、仕切り片２４の下縁は本体部１２の下面に取着され、仕切り片２４の前縁は、前部１２Ａの左右幅方向の中央の箇所に上下にわたって取着され、収納されたゴルフクラブ相互の接触による傷つきを低減するようにしている。
したがって、収納部２２は仕切り片２４により左右に仕切られた２つの小収納部２２Ａで構成されている。
また、仕切り片２４が設けられることにより本体部１２の開口２０は、仕切り片２４により左右に仕切られた２つの小開口２０Ａ(図７参照)から構成されている。
それら小収納部２２Ａと小開口２０Ａは、ドライバやフェアウェイウッドなどのようなクラブヘッドが大きいウッドクラブが出し入れでき収納できるように、それぞれ最も大きいドライバのクラブヘッドよりも大きい寸法で形成されている。
【００１２】
本実施の形態では、本体部１２を開閉可能とした線ファスナー２８が設けられている。
線ファスナー２８は、仕切り片２４が接続された前部１２Ａの箇所の左右両側に、前部１２Ａの上端から下端にわたって延在し、仕切り片２４により仕切られた２つの小収納部２２Ａをそれぞれ開閉するように２つ設けられている。
したがって、前部１２Ａは、それら２つの線ファスナー２８と、それら線ファスナー２８の間に位置する前片１２０２とを含んで構成されている。前片１２０２は均一幅で上端から下部に至り、下部では下端に至るにつれて次第に幅広になるように形成されている。
このようなファスナー２８を設けることで、小収納部２２Ａの内部を清掃し易くし、あるいは、濡れた場合に乾かし易いようにしている。
【００１３】
後片１４は、本体部１２の後部１２Ｂの上部から後部１２Ｂと連続状に上方に突出している。
本実施の形態では、本体部１２の後部１２Ｂの上部のみからではなく、後部１２Ｂの上部および本体部１２の左右の側部１２Ｃの後部１２Ｂ寄りの箇所の上部からも上方に突出している。
本体部１２の内面、後片１４の内面および仕切り片２４の両面には、ボアなどのような厚く柔軟な材料からなる保護部材２６が取着され、ゴルフクラブの出し入れを円滑に行なえ、また、持ち運び時に衝撃を受けた場合にクラブヘッドを保護するようにしている。
【００１４】
ショルダーベルト片１６Ａは左右一対設けられ、それぞれ前方に凸の弓状に延在し、上下端が後片１４の上部の左右側部と、後片１４の下部の左右側部から本体部１２の上部の左右側部１２Ｃとに接続されている。
そして、ショルダーベルト１６片と後片１４の左右側部との間に、腕が挿入され肩に掛けられる上下に縦長の開口３０が形成されている。
着脱手段２１は、左右のショルダーベルト片１６Ａの上部を除いた前縁に設けられ、すなわち、左右のショルダーベルト片１６Ａの前縁の上下中間部から下部にわたって設けられ、それらを着脱可能に取り付けてショルダーベルト１６を構成するものである。
この着脱手段２１は、例えば、図７に示すように、一方の前縁に埋め込まれた複数の細長形状と磁石２１Ａと、他方の前縁に埋め込まれ磁石２０Ａに吸着可能な細長形状の磁性体２１Ｂとで構成し、あるいは、双方の前縁に取着された着脱可能な面ファスナー、ボタン、線ファスナー、ハンドルカバー、テープで構成するなど、従来公知の様々な構造が採用可能である。
図２、図３、図５、図８に示すように、ショルダーベルト１６が構成された状態で、左右のショルダーベルト片１６Ａの上部と後片１４の上部とで、開口２０から突出する複数本のゴルフクラブのシャフトまたはグリップを挿通させる挿通口３２が形成される。
【００１５】
開口３０に腕を通してショルダーベルト１６を肩に掛けると、開口３０はショルダーベルト１６と後片１４の左右側部との間に形成され、ショルダーベルト１６と後片１４の左右側部とは共に可撓可能であるため、ゴルフクラブケース１０のフィット感に優れる。この場合に、開口３０の周囲の箇所であるショルダーベルト片１６Ａおよびこのショルダーベルト片１６Ａが接続される後片１４の左右側部、この上下部に接続する本体部１２の部分を上述の可撓可能で柔らかい素材(ネオプレーン、ナイロン、ポリエステル、綿、デニム、生布，ＰＵ合皮、皮革など)を用いると、フィット感をさらに向上する上で有利となる。
また、図２、図５、図８に示すように、本体部１２の下端から後片１４の上端までの高さは、アイアンクラブであるピッチングウェッジがそのクラブヘッドを下側にして本体部１２に収容された状態で、挿通口３２からピッチングウェッジのグリップの長さの１／２未満の部分が突出する寸法で形成され、ゴルフクラブを収納したゴルフクラブケース１０をショルダーベルト１０を介して肩に掛けた際に、頭部の上方にゴルフクラブが大きく突出することなく、ゴルフクラブケース１０を安定した状態で、また、出入口にゴルフクラブを当てることなく通過できるように図られている。
【００１６】
図３に示すように、グリップ収納袋１８は、後片１４の上部に取着されている。
グリップ収納袋１８は、上下に縦長の筒状を呈し、クラブヘッドを下にして本体部１２に収容され開口２０および挿通口３２から突出する複数本のゴルフクラブのグリップを収納可能に構成されている。
グリップ収納袋１８が後部１２Ｂから起立した状態でグリップ収納袋１８の前面の上端から下端にわたり線ファスナー３４が設けられ、グリップ収納袋１８はこの線ファスナー３４により開閉可能に構成され、グリップの収納を簡単に行えるようにしている。
なお、グリップ収納袋１８の長さは、たとえば、４７インチ程度のウッドクラブである長尺なドライバーのグリップを収納できる寸法で形成されている。
【００１７】
また、後片１４の挿通口３２側に位置する内面には、グリップ収納袋１８が折り畳んで収納される収納袋３６が取着されている。この収納袋３６も、合成繊維などのような可撓可能な従来公知の材料で構成されている。
さらに、図１、図２に示すように、挿通口３２と反対側に位置する後片１４の外面の上端には、手摺やフックに連結可能で、それらに連結することでゴルフクラブケース１０を立て掛けた状態に維持する細長形状の連結片３８が設けられている。
連結片３８は、長手方向の一方の端部に雄型の面ファスナーが取着され、長手方向の他方の端部に雌型の面ファスナーが取着されている。そして、それら面ファスナーを合わせることで、連結片３８は手摺の周囲を延在する環状となり、または、フックに掛止する環状となり、それらに掛止可能となる。なお、面ファスナーに換えてボタンにするなど任意である。
したがって、手摺やフックがある箇所では、このような連結片３８を設けておくと、連結片３８を手摺やフックに係止できるので、ゴルフクラブケース１０を安定した状態で立て掛ける上で有利となる。
なお、図９に示すように、本体部１２の左右側部１２Ｃには、手袋やタオルなどの小物類を収納するポケット４０が設けられ、ポケット４０は線ファスナー４２により開閉可能である。
【００１８】
次に、ゴルフクラブケース１０の使用方法について説明する。
(図１のように持ち運ぶ場合)
例えば、３本のアイアンクラブと、２本のウッドクラブを持ち運ぶ場合、図６に示すように、本体部１２の線ファスナー２８を閉じておき、また、左右のショルダーベルト片１６Ａを開いておき、それらクラブを２つに分け、クラブヘッド側を下にして小収納部２２Ａにそれぞれ収納する。
そして、グリップ収納袋１８を収納袋３６から出して線ファスナー３４を開き、展開されたグリップ収納袋１８の内側に、開口２０から突出する複数本のゴルフクラブのグリップを位置させ、図４に示すように、線ファスナー３４を閉じることでグリップ収納袋１８に収納する。
次に、図３に示すように、左右のショルダーベルト片１６Ａを閉じてショルダーベルト１６を構成し、挿通口３２の内側に、開口２０から突出する複数本のゴルフクラブの部分を位置させる。
そして、図１に示すように、ショルダーベルト１６の開口３０に腕を通してショルダーベルト１６を肩に掛ける。これによりゴルフクラブケース１０は、ゴルフクラブの重心により肩の背後で上下に延在した状態となる。
したがって、ゴルフクラブの運搬時に、ゴルフクラブケース１０が傾いてユーザーの前後に突出することはなく、ゴルフクラブケース１０を肩に掛けた状態でバスや電車に乗ったりするなど人ごみの中での通行が可能となる。
【００１９】
(図２のように持ち運ぶ場合)
例えば、３本のアイアンクラブと２本のウッドクラブを持ち運ぶ場合、図６に示すように、本体部１２の線ファスナー２８を閉じておき、また、グリップ収納袋１８を収納袋３６に収納して後片１４の内面に位置させておき、さらに、左右のショルダーベルト片１６Ａを開いておく。
そして、それら３本のアイアンクラブと２本のウッドクラブを２つに分け、クラブヘッド側を下にして小収納部２２Ａにそれぞれ収納し、図５に示すように、左右のショルダーベルト片１６Ａを閉じてショルダーベルト１６を構成し、挿通口３２の内側に、開口２０から突出する複数本のゴルフクラブの部分を位置させる。
そして、図２に示すように、ショルダーベルト１６の開口２０に腕を通してショルダーベルト１６を肩に掛ける。これによりゴルフクラブケース１０は、ゴルフクラブの重心により肩の背後で上下に延在した状態となる。この収納状態では、挿通口３２から上方にゴルフクラブのグリップ部分が露出している。
したがって、この収納状態でも、ゴルフクラブの運搬時に、ゴルフクラブケース１０が傾いてユーザーの前後に突出することはなく、ゴルフクラブケース１０を肩に掛けた状態でバスや電車に乗ったりするなど人ごみの中での通行が可能となる。
【００２０】
(ゴルフクラブケース１０を立て掛けたり、吊り下げる場合)
図３に示すように、複数本のゴルフクラブのグリップをグリップ収納袋１８に収納した状態で、あるいは、図５に示すように、グリップ収納袋１８を収納袋３６に収納して後片１４の内面に位置させ挿通口３２からゴルフクラブの部分を露出させた状態で、あるいは、グリップ収納袋１８を後片１４の外面に垂らし挿通口３２からゴルフクラブの部分を露出させた状態で、複数本のゴルフクラブが収納されたゴルフクラブケース１０を壁などに立て掛けることができる。この場合、重いクラブヘッドがゴルフクラブケース１０の底部１２Ｄに位置しているので、安定した状態で立て掛けられる。
手摺やフックがある箇所では、連結片３８を環状とし、手摺やフックに掛止させて壁や手摺などに立て掛け、あるいは、ゴルフクラブケース１０を吊り下げる。したがって、ゴルフクラブケース１０は安定した状態で立て掛けられ、あるいは、吊り下げられる。
したがって、ゴルフクラブケース１０を安定した状態で立て掛けたり、吊り下げたりすることができ、使い勝手に優れる。
【００２１】
(ゴルフクラブを使用する場合)
練習場でゴルフの練習をする場合には、図６に示すように、グリップ収納袋１８を収納袋３６に収納し、左右のショルダーベルト片１６Ａを開くと、本体部１２の上部に開口２０が露出する。この状態で、本体部１２に収納されたゴルフクラブのグリップやシャフトをあるいは本体部１２を、打席に設置された椅子や手摺４４に係止させてゴルフクラブごとゴルフクラブケース１０を立て掛ける。
あるいは、図９に示すように、グリップ収納袋１８を収納袋３６に収納し、左右のショルダーベルト片１６Ａを開き、後片１４および収納袋３６並びに左右のショルダーベルト片１６Ａを本体部１２の外側に垂れ下げると、本体部１２の上部に開口２０の全域が露出する。この状態で、本体部１２に収納されたゴルフクラブのグリップやシャフトをあるいは本体部１２を、打席に設置された椅子や手摺４４に係止させてゴルフクラブごとゴルフクラブケース１０を立て掛ける。
ユーザーは、使用したいゴルフクラブを開口２０から抜き出して使用し、使用後、クラブヘッド側を下にして開口２０から小収納部２２Ａに収納する。
したがって、従来のように線ファスナーを開くことなくゴルフクラブケース１０からゴルフクラブを出し入れでき、使い勝手に優れる。図９に示すように、後片１４および収納袋３６並びに左右のショルダーベルト片１６Ａを本体部１２の外側に垂れ下げた場合には、本体部１２の上部に開口２０の全域が露出するため使い勝手により優れる。
練習の終了後、左右のショルダーベルト片１６Ａを閉じ、ショルダーベルト１６を手で持って、あるいは、図２に示すように、ショルダーベルト１６を肩に掛けてゴルフクラブケース１０を持ち運ぶ。あるいは、図１に示すように、左右のショルダーベルト片１６Ａを閉じ、ゴルフクラブのグリップをグリップ収納袋１８に収納して持ち運ぶ。
【００２２】
(ゴルフコースで使用する場合)
ゴルフコースで使用する場合には、ゴルフカートの適宜箇所にゴルフクラブケース１０を丸めて置いておき、あるいは、ゴルフカートに積まれたキャディバックの側部に、ショルダーベルト１６や連結片３８を掛けてゴルフクラブケース１０を吊り下げておく。
カート道路から離れた箇所にゴルフボールを打ち込み、ゴルフボールの落下地点に複数本のゴルフクラブを持っていく際、それらゴルフクラブをゴルフクラブケース１０に収納する。
この場合には、図６に示すように、グリップ収納袋１８を収納袋３６に収納して後片１４の内面に位置させた状態で、あるいは、グリップ収納袋１８を後片１４の外面に垂らした状態で、左右のショルダーベルト片１６Ａを開き、持って行く複数本のゴルフクラブを、クラブヘッド側を下にして開口２０から２つの小収納部２２Ａに収納する。そして、図５に示すように、左右のショルダーベルト片１６Ａを閉じ、ショルダーベルト１６を手に持って、あるいは、肩に掛けてゴルフクラブケース１０を持ち運び、ゴルフボール落下点に向かう。
ゴルフボールの落下点では、ライ(ゴルフボールが置かれた箇所の状況)や打つべき飛距離を考慮し、使用するゴルフクラブを決定する。ゴルフクラブを決定したならば、図６に示すように、左右のショルダーベルト片１６Ａを開き、開口２０からそのゴルフクラブを抜き出し、残りの複数本のゴルフクラブが収納されたゴルフクラブケース１０をラフやフェアウェイに寝かせておく。
【００２３】
ゴルフボールを打ったならば、使用したゴルフクラブをゴルフクラブケース１０に収納し、図５に示すように、左右のショルダーベルト片１６Ａを閉じ、ショルダーベルト１６を手に持って、あるいは、肩に掛けてゴルフクラブケース１０を持ち運び、次のゴルフボール落下地点に向かって歩いていく。あるいは、ゴルフカートに戻り、ゴルフクラブケース１０に収納された複数本のゴルフクラブをキャディバックに戻す。
このようにカート道路から離れた箇所にゴルフボールを打ち込み、ゴルフボールの落下地点に複数本のゴルフクラブを持っていく場合に、ゴルフクラブケース１０を持ち運んでいるので、よくありがちなゴルフボールの落下地点へのゴルフクラブの置き忘れを防止する上で有利となる。
また、ゴルフクラブケース１０を使わずに複数本のゴルフクラブをゴルフボールの落下地点に持ち運んだ場合、ゴルフボールを打つ際には、使用しない残りの複数本のゴルフクラブをゴルフボールの落下地点の周辺にそのまま置くことになる。この場合、ライによっては地面がむき出しの場合もあり、この場合にはクラブヘッドに土が付着し、キャディバックに戻す際に、錆が発生しないようにクラブヘッドに付着した土を落とさなければならない。あるいは、雨天時には、錆が発生しないようにクラブヘッドに付着した雨をふき取る必要がある。本実施の形態では、クラブヘッドが本体部１２の底部１２Ｄに収納されたゴルフクラブケース１０ごとおくので、使用しないゴルフクラブのクラブヘッドに土が付着したり、クラブヘッドが雨で濡れたりすることはなく、複数本のゴルフクラブをそのままキャディバックに戻すことができ便利となる。
したがって、ゴルフクラブケース１０はゴルフコースで使用されても極めて便利となる。
【符号の説明】
【００２４】
１０……ゴルフクラブケース、１２……本体部、１４……後片、１６Ａ……ショルダーベルト片、１６……ショルダーベルト、１８……グリップ収納袋、２０、３０……開口、２１……着脱手段、２４……仕切り片、２６……保護部材、２８，３４……線ファスナー、３２……挿通口、３８……連結片。
【図１】
0005533581.tif 000002
【図２】
0005533581.tif 000003
【図３】
0005533581.tif 000004
【図４】
0005533581.tif 000005
【図５】
0005533581.tif 000006
【図６】
0005533581.tif 000007
【図７】
0005533581.tif 000008
【図８】
0005533581.tif 000009
【図９】
0005533581.tif 000010